Podtech/llm-jp-corpus-v4-ja_patent huggingface dataset:
【手続補正書】
【提出日】平成18年10月26日(2006.10.26)
【手続補正１】
【補正対象書類名】明細書
【補正対象項目名】特許請求の範囲
【補正方法】変更
【補正の内容】
【特許請求の範囲】
【請求項１】  式(Rx1Rx2...Rx11)1(My1My2...My6)zを有する、不純物が増加された希土類遷移金属磁歪材料であって、
式中、
各Ｒは、ランタン、セリウム、プラセオジム、ネオジム、サマリウム、ガドリニウム、テルビウム、ジスプロシウム、ホルミウム、エルビウム及びイットリウムからなる元素の群より選択され、0≦x1≦1、0≦x2≦1...0≦x11≦1、かつx1+x2+...+x11=1であり、かつ
各Ｍは、鉄、マンガン、コバルト、ニッケル、アルミニウム及びケイ素からなる元素の群より選択され、0≦y1≦1、0≦y2≦1...0≦y6≦1、y1+y2+...+y6=1、かつ1.8≦z≦2.1であり、
該材料は、整列化結晶構造又は多結晶構造を生じるように調製されると磁気歪みを有し、該材料の磁歪の異方性を利用して、印加磁場に応じて最適化された長さの巨視的変化を与え、該材料は、酸素不純物、窒素不純物及び炭素不純物を有し、前記酸素不純物が、6,011〜34,000ppmの範囲の原子パーセントを有し、前記窒素不純物が、575〜4,400ppmの範囲の原子パーセントを有し、かつ前記炭素不純物が、939〜21,000ppmの範囲の原子パーセントを有することによって、低コストで、許容可能な磁気歪み性能を示す材料。
【請求項２】  式(Smx1Dy1-x1)1Fe1.8-2.1を有し、式中0≦x1≦1である請求項１に記載の材料。
【請求項３】  式(Tbx1Dy1-x1-x2Hox2)1Fe1.8-2.1を有し、式中0≦x1≦1、0≦x2≦0.5かつx1+x2≦1である請求項１に記載の材料。
【請求項４】  式(Smx1Ho1-x1)1Fe1.8-2.1を有し、式中0≦x1≦1である請求項１に記載の材料。
【請求項５】  式(Smx1Ho1-x1)1(Coy1Fe1-y1)1.8-2.1を有し、式中0≦x1≦1かつ0≦y1≦1である請求項１に記載の材料。
【請求項６】  式(Tbx1Dy1-x1)1(Mny1Fe1-y1)1.8-2.1を有し、式中0≦x1≦1かつ0≦y1≦0.5である請求項１に記載の材料。
【請求項７】  式(Tbx1Dy1-x1)1(Coy1Fe1-y1)1.8-2.1を有し、式中0≦x1≦1かつ0≦y1≦1である請求項１に記載の材料。
【請求項８】  式(Tbx1Dy1-x1)1(Niy1Fe1-y1)1.8-2.1を有し、式中0≦x1≦1かつ0≦y1≦1である請求項１に記載の材料。
【請求項９】  式(Tbx1Dy1-x1)1(Aly1Fe1-y1)1.8-2.1を有し、式中0≦x1≦1かつ0≦y1≦0.1である請求項１に記載の材料。
【請求項１０】  式(Tbx1Dy1-x1)1(Aly1Mny2Fe1-y1-y2)1.8-2.1を有し、式中0≦x1≦1、0≦y1≦0.1かつ0≦y2≦0.5である請求項１に記載の材料。
【請求項１１】  式(Tbx1Dy1-x1-x2Hox2)1(Aly1Fe1-y1)1.8-2.1を有し、式中0≦x1≦1、0≦x2≦0.5、x1+x2≦1かつ0≦y1≦0.1である請求項１に記載の材料。
【請求項１２】  式(Tbx1Dy1-x1)1(Coy1Mny2Fe1-y1-y2)1.8-2.1を有し、式中0≦x1≦1、0≦y1≦1、0≦y2≦0.5かつy1+y2≦1である請求項１に記載の材料。
【請求項１３】  式(Tbx1Dy1-x1-x2Hox2)1(Coy1Mny2Fe1-y1-y2)1.8-2.1を有し、式中0≦x1≦1、0≦x2≦0.5、x1+x2≦1、0≦y1≦1、0≦y2≦0.5かつy1+y2≦1である請求項１に記載の材料。
【請求項１４】  前記酸素不純物が10,000〜34,000ppmの範囲の原子パーセントを有し、前記窒素不純物が1,200〜4,400ppmの範囲の原子パーセントを有し、かつ前記炭素不純物が4,800〜21,000ppmの範囲の原子パーセントを有することによって、前記材料が、有意に低コストで、許容可能な磁気歪み性能を示す請求項１に記載の材料。
【手続補正書】
【提出日】平成18年10月23日(2006.10.23)
【手続補正１】
【補正対象書類名】明細書
【補正対象項目名】特許請求の範囲
【補正方法】変更
【補正の内容】
【特許請求の範囲】
【請求項１】  ３つの異なる供給源に由来する３つのヒト前立腺細胞系を含んで成る、患者の前立腺ガンの処置のための同種免疫療法剤であって、このうちの１、２又は３つの細胞系が正常な組織に由来し、前記の正常な組織のそれぞれが非ガン性の前立腺である供給源に由来し、そして３つの異なる供給源に由来する細胞系が患者にとって遺伝的且つ免疫学的に不適合である免疫療法剤。
【請求項２】  １つの細胞系が正常な組織に由来し、そして他の２つの細胞系が腫瘍組織に由来する、３つのヒト前立腺細胞系を含んで成る、請求項１に記載の前立腺ガンの処置のための免疫療法剤。
【請求項３】  ２つの細胞系が正常な組織に由来し、そして他の細胞系が腫瘍組織に由来する、請求項１に記載の免疫療法剤。
【請求項４】  正常な組織由来の細胞系がＰＮＴ１Ａ（ＥＣＡＣＣ参照番号：９５０１２６１４）又はＰＮＴ２（ＥＣＡＣＣ参照番号：９５０１２６１３）から選択される、請求項１〜３のいずれか１項に記載の免疫療法剤。
【請求項５】  腫瘍組織由来の細胞系がＮＩＨ１５３２−ＣＰ２ＴＸ（ＡＴＣＣ  ＣＲＬ−１２０３８），ＮＩＨ１５３５−ＣＰ１ＴＸ（ＡＴＣＣ  ＣＲＬ−１２０４１），，ＮＩＨ１５４２−ＣＰ３ＴＸ（ＡＴＣＣ  ＣＲＬ−１２０３７），ＣＡ−ＨＰＶ−１０（ＡＴＣＣ  ＣＲＬ−２２２０），ＬｎＣａｐ（ＡＴＣＣ  ＣＲＬ−１７４０），ＤＵ１４５（ＡＴＣＣ  ＨＴＢ−８１），又はＰＣ３（ＡＴＣＣ  ＣＲＬ−１４３５），から選択される、請求項１〜３のいずれか１項に記載の免疫療法剤。
【請求項６】  ３つの細胞系、すなわちＰＮＴ２，ＮＩＨ１５４２−ＣＰ３ＴＸ（ＡＴＣＣ  ＣＲＬ−１２０３７）及びＤＵ１４５（ＡＴＣＣ  ＨＴＢ−８１）を含んで成る前立腺ガンの処置のための免疫療法剤。
【請求項７】  ３つの細胞系、すなわちＰＮＴ２，ＮＩＨ１５４２−ＣＰ３ＴＸ（ＡＴＣＣ  ＣＲＬ−１２０３７）及びＬｎＣａｐ（ＡＴＣＣ  ＣＲＬ−１７４０）を含んで成る前立腺ガンの処置のための免疫療法剤。
【請求項８】  ３つの細胞系、すなわちＰＮＴ２，ＤＵ１４５（ＡＴＣＣ  ＨＴＢ−８１）及びＬｎＣａｐ（ＡＴＣＣ  ＣＲＬ−１７４０）を含んで成る前立腺ガンの処置のための免疫療法剤。
【請求項９】  前記の腫瘍細胞系が５０〜３００Gyで照射された、請求項１〜８のいずれか１項の免疫療法剤。
【請求項１０】  前記の腫瘍細胞系が１００〜１５０Gyで照射された、請求項１〜８のいずれか１項に記載の免疫療法剤。
【請求項１１】  放線菌調製物、例えばＢＣＧ又はＭ．バッカエ（Ｖａｃｃａｅ）、破傷風毒素、ジフテリア毒素、百日咳菌、インターロイキン２、インターロイキン１２、インターロイキン４、インターロイキン７、完全フロイントアジュバント、不完全フロイントアジュバント又は他の非特異的薬剤アジュバントから選択されるワクチンアジュバントと組み合わせた、請求項１〜１０のいずれか１項に記載の同種免疫療法剤を含んで成る免疫原性組成物。
【請求項１２】  放線菌調製物、例えばＢＣＧ又はＭ．バッカエから選択されるワクチンアジュバントと組み合わせた、請求項１〜１０のいずれか１項に記載の免疫療法剤を含んで成る免疫原性組成物。
【請求項１３】  前記細胞が、限定しないが１０〜３０％ｖ／ｖの水性グリセロール溶液、５〜２０％ｖ／ｖジメチルスルホキシド又は５〜２０％ｗ／ｖのヒト血清アルブミンを単一の凍結保護物質として又は組み合わせて、そのいずれかで含む凍結保護溶液で調製される、請求項１〜１２のいずれか１項に記載の免疫療法剤又は組成物。
【請求項１４】  前記細胞が、５〜２０％ｖ／ｖジメチルスルホキシド及び５〜２０％ｗ／ｖのヒト血清アルブミンを組み合わせて含む、凍結保護溶液で調製される、請求項１〜１２のいずれか１項に記載の免疫療法剤又は組成物。
【請求項１５】  免疫Ｔ細胞の活性化を特徴とする患者の免疫応答を誘導する、請求項１〜１４のいずれか１項に記載の免疫療法剤又は組成物。
【請求項１６】  抗体産生の誘導を特徴とする患者の免疫応答を誘導する、請求項１〜１４のいずれか１項に記載の免疫療法剤又は組成物。
【請求項１７】  前立腺ガンの患者の血清ＰＳＡのレベルにおいて、増加又は減少の速度で低下を誘導する、請求項１〜１４のいずれか１項に記載の免疫療法剤又は組成物。
【請求項１８】  皮内投与される、請求項１〜１７のいずれか１項に記載の免疫療法剤又は組成物。
【請求項１９】  前立腺内に投与される、請求項１〜１７のいずれか１項に記載の免疫療法剤又は組成物。
【請求項２０】  生理学的に許容される補形薬、アジュバント又は担体と一緒に、請求項１〜１９のいずれか１項に記載の同種免疫療法剤を含んで成るか又はそれから成る、前立腺ガンの処置のための免疫療法ワクチン組成物。
【請求項２１】  ヒト前立腺ガンの同種間処置のための薬剤の製造における、請求項１〜１０のいずれか１項に記載の同種免疫療法剤の使用。
【手続補正書】
【提出日】平成18年10月5日(2006.10.5)
【手続補正１】
【補正対象書類名】明細書
【補正対象項目名】特許請求の範囲
【補正方法】変更
【補正の内容】
【特許請求の範囲】
【請求項１】  セルロースエーテルの製造方法であって、
a)セルロースパルプをアルカリ性にし、
b)アルカリ性にされたセルロースパルプをエーテル化してセルロースエーテルを形成し、
c)このセルロースエーテルを洗浄し、
d)このセルロースエーテルを乾燥して水分含有量を低下させ、
e)セルロースエーテルを粉砕して粒状形態にし、
f)粒状セルロースエーテルの温度を50〜130℃に調整し、
g)この粒状セルロースエーテルをオーブンもしくは温度制御チャンバー内で軸の周りにもしくは180°回転させる反応器中でタンブリングし、同時に50〜130℃の温度において気体の酸と接触させて、その２パーセント水溶液が20℃において200cP以下の粘度を有するように部分的に解重合させ、そして
h)塩基性化合物と接触させることにより部分的にもしくは実質的に中和すること
を含む方法。
【請求項２】  前記アルカリ性にされたセルロースパルプが塩化メチル又は塩化メチルとプロピレンオキシドの混合物と接触させることによりエーテル化される、請求項１記載の方法。
【請求項３】  前記解重合された粒状セルロースエーテルが、20℃において２パーセント水溶液で３〜100cPの粘度を有する、請求項１又は２記載の方法。
【請求項４】  前記粒状セルロースエーテルが180°回転する反応器中でタンブリングされる、請求項１〜３のいずれか１項に記載の方法。
【請求項５】  前記セルロースパルプが水酸化ナトリウムと接触されることによりアルカリ性にされ、アルカリ性にされたセルロースパルプが塩化メチル又は塩化メチルとプロピレンオキシドの混合物と接触させることによりエーテル化され、粒状セルロースエーテルが180°回転する反応器中でタンブリングされ、粒状セルロースエーテルが塩化水素と接触させることにより解重合され、酸が無水塩基性化合物と接触させることにより部分的にもしくは実質的に中和される、請求項１〜４のいずれか１項に記載の方法。
【請求項６】  前記粒状セルロースエーテルが解重合の間、実質的に鉄と接触されないようにされる、請求項１〜５のいずれか１項に記載の方法。
【請求項７】  セルロースエーテルの製造装置であって、
a)セルロースパルプをアルカリ性にしかつエーテル化してセルロースエーテルを形成するための第一の反応器、
b)セルロースエーテルを洗浄するための洗浄器、
c)セルロースエーテルを乾燥して水分含有量を低下させるための乾燥器、
d)セルロースエーテルを粉砕して粒状にするためのミル、
e)粒状セルロースエーテルを気体の酸と、次いで塩基性化合物と接触させながら軸の周りにもしくは180°回転させるタンブリングするためのオーブンもしくは温度制御チャンバー内に配置された第二の反応器を含む装置。
【請求項８】  前記第二の反応器が180°回転してタンブリングする、請求項７記載の装置。
【請求項９】  前記第二の反応器の内面が実質的に鉄を含まない、請求項７又は８記載の装置。
【手続補正書】
【提出日】平成18年10月19日(2006.10.19)
【手続補正１】
【補正対象書類名】明細書
【補正対象項目名】特許請求の範囲
【補正方法】変更
【補正の内容】
【特許請求の範囲】
【請求項１】  高粘度のセルロースエーテルを過酸化水素で酸化的に分解させることにより低粘度の水溶性セルロースエーテルを製造する方法であって、前記高粘度のセルロースエーテルを過酸化水素の水溶液と一緒に６５−１２５℃の温度で強力に混合するが、乾燥セルロースエーテルを基準にした前記過酸化水素の含有量が０．１−１０重量％になるように前記混合物の比率を選択し、前記混合物の全量を基準にした前記混合物の固体含有量が２５重量％以上になるようにし、そして次に前記混合物を６５−１２５℃の温度で前記過酸化水素の少なくとも約９０％が消費されるまで連続的に撹拌することを特徴とする方法。
【手続補正書】
【提出日】平成17年12月1日(2005.12.1)
【手続補正１】
【補正対象書類名】明細書
【補正対象項目名】特許請求の範囲
【補正方法】変更
【補正の内容】
【特許請求の範囲】
【請求項１】  ポンペ病を有する患者を処置するための薬学的組成物であって、該薬学的組成物が、治療的に有効な量のヒト酸性αグルコシダーゼを含有する、薬学的組成物。
【請求項２】 患者に、１週間当たり少なくとも１０ｍｇ／ｋｇ体重で投与されるように処方される、請求項１に記載の薬学的組成物。
【請求項３】 患者に、１週間当たり少なくとも６０ｍｇ／ｋｇ体重で投与されるように処方される、請求項１に記載の薬学的組成物。
【請求項４】 患者に、１週間当たり少なくとも１２０ｍｇ／ｋｇ体重で投与されるように処方される、請求項１に記載の薬学的組成物。
【請求項５】 患者に、１週間当たり単一投薬量のα−グルコシダーゼが投与されるように処方される、請求項１〜４のいずれかに記載の薬学的組成物。
【請求項６】 患者に、１週間当たり３投薬量のα−グルコシダーゼが投与されるように処方される、請求項１〜４のいずれかに記載の薬学的組成物。
【請求項７】  前記量が、少なくとも２４週の期間にわたって１週間当たりで投与されるように処方される、請求項１〜４のいずれかに記載の薬学的組成物。
【請求項８】  前記α−グルコシダーゼが、静脈内に投与されるように処方される、請求項１に記載の薬学的組成物。
【請求項９】  前記α−グルコシダーゼが、トランスジェニック哺乳動物の乳汁中に産生された、請求項１に記載の薬学的組成物。
【請求項１０】 患者が、乳児性ポンペ病を有する、請求項１に記載の薬学的組成物。
【請求項１１】  前記患者が、少なくとも１歳になるまで生存する、請求項１０に記載の薬学的組成物。
【請求項１２】 患者が、若年性ポンペ病を有する、請求項１に記載の薬学的組成物。
【請求項１３】 患者が、成人性ポンペ病を有する、請求項１に記載の薬学的組成物。
【請求項１４】  前記α−グルコシダーゼが、主に１１０ｋＤ型である、請求項１に記載の薬学的組成物。
【請求項１５】 患者におけるヒト酸性αグルコシダーゼのレベルをモニタリングする工程と組み合わせた投与のために処方される、請求項１に記載の薬学的組成物。
【請求項１６】  前記患者においてα−グルコシダーゼの前記レベルが閾値未満に低下した場合の投与のために処方された、第２投薬量のヒト酸性αグルコシダーゼをさらに含有する、請求項１５に記載の薬学的組成物。
【請求項１７】  前記ヒトαグルコシダーゼが静脈内に投与され、そして投与期間の間に投与速度が上昇するように処方される、請求項１に記載の薬学的組成物。
【請求項１８】  前記投与速度が、前記投与期間の間に少なくとも１０倍上昇する、請求項１７に記載の薬学的組成物。
【請求項１９】  前記投与速度が、５時間の間に少なくとも１０倍上昇する、請求項１７に記載の薬学的組成物。
【請求項２０】 患者に、一連の少なくとも４投薬量が投与され、各投薬量は前回の投薬量よりも高い強度であるように処方される、請求項１７に記載の薬学的組成物。
【請求項２１】  前記投薬量が、０．０３〜３ｍｇ／ｋｇ／時間の第１投薬量、０．３〜１２ｍｇ／ｋｇ／時間の第２投薬量、１〜３０ｍｇ／ｋｇ／時間の第３投薬量および２〜６０ｍｇ／ｋｇ／時間の第４投薬量である、請求項２０に記載の薬学的組成物。
【請求項２２】  前記投薬量が、０．１〜１ｍｇ／ｋｇ／時間の第１投薬量、１〜４ｍｇ／ｋｇ／時間の第２投薬量、３〜１０ｍｇ／ｋｇ／時間の第３投薬量および６〜２０ｍｇ／ｋｇ／時間の第４投薬量である、請求項２１に記載の薬学的組成物。
【請求項２３】  前記投薬量が、０．２５〜４ｍｇ／ｋｇ／時間の第１投薬量、０．９〜１．４ｍｇ／ｋｇ／時間の第２投薬量、３．６〜５．７ｍｇ／ｋｇ／時間の第３投薬量および７．２〜１１．３ｍｇ／ｋｇ／時間の第４投薬量である、請求項２２に記載の薬学的組成物。
【請求項２４】  前記投薬量が、０．３ｍｇ／ｋｇ／時間の第１投薬量、１ｍｇ／ｋｇ／時間の第２投薬量、４ｍｇ／ｋｇ／時間の第３投薬量および１２ｍｇ／ｋｇ／時間の第４投薬量である、請求項２３に記載の薬学的組成物。
【請求項２５】  前記第１投薬量、前記第２投薬量、前記第３投薬量および前記第４投薬量が、１５分間〜８時間の時間にわたって、各々投与される、請求項２０〜２４のいずれかに記載の薬学的組成物。
【請求項２６】  前記第１投薬量、前記第２投薬量、前記第３投薬量および前記第４投薬量が、それぞれ、１時間、１時間、０．５時間および３時間の時間にわたって投与される、請求項２０〜２４のいずれかに記載の薬学的組成物。
【請求項２７】  滅菌形態の、生理学的に受容可能な緩衝液中にヒト酸性αグルコシダーゼ、ヒト血清アルブミン、および糖を含む、薬学的組成物。
【請求項２８】  リン酸ナトリウム緩衝液中にヒト酸性αグルコシダーゼ、ヒト血清アルブミン、およびグルコースを含む、請求項２７に記載の薬学的組成物。
【請求項２９】  水溶液中にαグルコシダーゼ、マンニトールおよびスクロースを含む、薬学的組成物。
【請求項３０】  前記糖が、マンニトールおよびスクロースを含み、そしてマンニトールの濃度が前記水溶液の１〜３％  ｗ／ｗであり、そしてスクロースの濃度が前記水溶液の０．１〜１％  ｗ／ｗである、請求項２７に記載の薬学的組成物。
【請求項３１】  マンニトールの濃度が２％  ｗ／ｗであり、そしてスクロースの濃度が０．５％  ｗ／ｗである、請求項２７に記載の薬学的組成物。
【請求項３２】  水溶液中にヒト酸性グルコシダーゼ、マンニトールおよびスクロースを含む薬学的組成物を凍結乾燥することによって産生される、凍結乾燥された組成物。
【請求項３３】  薬学的組成物であって、該組成物が、ヒト酸性α−グルコシダーゼ、マンニトール、スクロースおよび水溶液を含む第１組成物を凍結乾燥して第２組成物を産生する工程；ならびに、生理食塩水中で該凍結乾燥された組成物を再構成して第３組成物を産生する工程によって調製される、薬学的組成物。
【請求項３４】  前記ヒト酸性α−グルコシダーゼが、前記第１組成物および前記第３組成物の両方において５ｍｇ／ｍｌであり、前記マンニトールが、前記第１組成物において２ｍｇ／ｍｌであり、前記スクロースが、前記第１組成物において０．５ｍｇ／ｍｌであり、そして前記再構成工程において使用される前記生理食塩水が、０．９％  ｗ／ｗである、請求項３３に記載の薬学的組成物。
【手続補正書】
【提出日】平成18年8月22日(2006.8.22)
【手続補正１】
【補正対象書類名】明細書
【補正対象項目名】特許請求の範囲
【補正方法】変更
【補正の内容】
【特許請求の範囲】
【請求項１】
（Ａ）（ｉ）腫瘍細胞によって生産されるか又は腫瘍細胞に関連し、腫瘍細胞に存在する抗原に選択的に結合する少なくとも１種の第１の抗体または抗原結合性抗体断片と、
（ｉｉ）ホウ素化合物上のハプテンに特異的に結合する少なくとも１種の第２の抗体または抗体断片と、
のコンジュゲートであって、がんを有する患者に投与されたとき、前記腫瘍細胞に局所化するコンジュゲートと
（Ｂ）任意選択的に、局所していないコンジュゲートを循環系からクリアリングする第１のクリアリング組成物と、
（Ｃ）前記腫瘍細胞に局在しているコンジュゲートに結合するホウ素化合物と、
（Ｄ）任意選択的に、局所していないホウ素化合物を循環系からクリアリングするための第２のクリアリング組成物と
を含んでなる、患者においてホウ素原子を腫瘍細胞にターゲッティングさせるためのキット。
【請求項２】
前記コンジュゲートが、二重特異性抗体を含む請求項１に記載のキット。
【請求項３】
前記コンジュゲートが、多重特異性抗体を含む請求項１に記載のキット。
【請求項４】
前記多重特異性抗体が、腫瘍細胞によって生産される若しくは腫瘍細胞に関連する抗原の同一若しくは異なるエピトープに特異的に結合する、又は腫瘍細胞によって生産される若しくは腫瘍細胞に関連する異なる抗原に結合する複数の決定基を含む、請求項３に記載のキット。
【請求項５】
前記多重特異性抗体が、前記ホウ素化合物の同一または異なるエピトープに特異的に結合する複数の決定基を含む請求項３に記載のキット。
【請求項６】
前記第１の抗体または抗体断片が、モノクローナル抗体またはモノクローナル抗体の断片である請求項１に記載のキット。
【請求項７】
前記第２の抗体または抗体断片が、モノクローナル抗体またはモノクローナル抗体の断片である請求項１に記載のキット。
【請求項８】
前記第１の抗体または抗体断片が、ヒト化抗体またはヒト化抗体の断片である請求項１に記載のキット。
【請求項９】
前記第２の抗体または抗体断片が、ヒト化抗体またはヒト化抗体の断片である請求項１に記載のキット。
【請求項１０】
前記第１の抗体または抗体断片が、抗ＣＥＡ抗体または抗ＣＥＡ抗体のＣＥＡ結合断片である請求項１に記載のキット。
【請求項１１】
前記ホウ素化合物が、ビオチン、カルボラン、ＤＴＰＡ、ヒスタミンスクシニルグリシネート、フルオレセイン、ローダミン、ジニトロフェニル（ＤＮＰ）、デキストランおよびポリヒスチジンよりなる群から選択される部位を含み、前記第２の抗体または抗体断片が前記部位上のハプテンに特異的に結合する抗体または抗体断片を含む請求項１に記載のキット。
【請求項１２】
前記任意選択的な第１および第２のクリアリング組成物のうち少なくとも１つが抗体である請求項１に記載のキット。
【請求項１３】
前記抗体が、ガラクトシル化された請求項１２に記載のキット。
【請求項１４】
前記第１のクリアリング組成物が投与されてから２ないし２４時間以内に、前記ホウ素化合物が投与される請求項６に記載のキット。
【請求項１５】
前記第１のクリアリング組成物が、前記第１の抗体または抗体断片に対して抗イディオタイプである抗体を含む請求項６に記載のキット。
【請求項１６】
前記第２のクリアリング組成物が、前記第２の抗体または抗体断片によって結合される前記ホウ素化合物上のハプテンに特異的な抗体を含む請求項７に記載のキット。
【請求項１７】
前記ホウ素化合物が、１２００ないし１５００個のホウ素原子により誘導体化されたデキストランを含む請求項２に記載のキット。
【請求項１８】
前記ホウ素化合物が、検出可能な標識で放射性標識された請求項１に記載のキット。
【請求項１９】
前記腫瘍細胞に局所した前記ホウ素化合物のホウ素原子への照射により、一以上の腫瘍細胞を殺傷する請求項１に記載のキット。
【請求項２０】
前記コンジュゲートが投与されてから４８ないし２４０時間以内に、前記ホウ素化合物が投与される請求項１に記載のキット。
【請求項２１】
投与された抗体の分子当たり６０００個までのホウ素原子が前記腫瘍細胞に局所化される請求項１に記載のキット。
【請求項２２】
（ｉ）腫瘍細胞によって生産されるか又は腫瘍細胞に関連し、腫瘍細胞に存在する抗原に選択的に結合する少なくとも１種の第１の抗体または抗原結合性抗体断片と、
（ｉｉ）ホウ素化合物上のハプテンに特異的に結合する少なくとも１種の第２の抗体または抗体断片と
のコンジュゲートを含む、ホウ素原子を腫瘍細胞にターゲッティングするのに使用される組成物を含んでなるヒトにおいて使用される滅菌注射組成物。
【請求項２３】
前記第１の抗体または抗体断片が、抗ＣＥＡ抗体、または抗ＣＥＡ抗体のＣＥＡ結合断片である請求項２２に記載の組成物。
【請求項２４】
前記ホウ素化合物が、ビオチン、カルボラン、ＤＴＰＡ、ヒスタミンスクシニルグリシネート、フルオレセイン、ローダミン、ジニトロフェニル（ＤＮＰ）、デキストランおよびポリヒスチジンよりなる群から選択される部位を含み、前記第２の抗体または抗体断片が、前記部位上のハプテンに特異的に結合する抗体または抗体断片を含む請求項２２に記載の組成物。
【手続補正書】
【提出日】平成18年8月30日(2006.8.30)
【手続補正１】
【補正対象書類名】明細書
【補正対象項目名】特許請求の範囲
【補正方法】変更
【補正の内容】
【特許請求の範囲】
【請求項１】  下式
【化１】
2002531564.tif 000001
［式中、構造中の波線は、結合がＣ−ＣまたはＣ＝Ｃ結合であり得ることを示し、構造中の破線は、結合がＣ−ＣまたはＣ＝Ｃ結合であり得ることを示し、且つ波線または破線の少なくとも１つはＣ−Ｃ結合であり、
ＸIIはＮであり、ＸIは、以後、ＡIIとして明示される種に結合された窒素または炭素であり、Ｘは種ＡIIに結合されたＣであり、
ｎは０〜３の整数であり、
ｍは０、１または２であり、
ｐは１または２であり、
Ｅ、ＥI、ＥIIおよびＥIIIは、個々別々に、水素、アルキル、置換アルキル、ハロ置換アルキル、シクロアルキル、置換シクロアルキル、ヘテロサイクリル、置換ヘテロサイクリル、アリール、置換アリール、アルキルアリール、置換アルキルアリール、アリールアルキルまたは置換アリールアルキルを表し、
ＥとＥIまたはＥIIとＥIIIのいずれかと、それらの会合炭素原子が結合して環構造を形成してもよく、ＥとＥIIまたはＥIとＥIIIのいずれかと、それらの会合炭素原子が結合して環構造を形成してもよく、
ｊは０〜３の整数であり、
Ｚは非水素置換基を表し、
ＡIIは、ＮＲ'Ｒ"とＯＲ'とＮＯ2からなる一群から選択され、該Ｒ'およびＲ"が、水素、アルキル、シクロアルキル、非芳香族複素環および芳香族基含有種からなる一群から選択され、
ＡおよびＡIは、水素、アルキル、置換アルキル、アルケニル、置換アルケニル、ヘテロサイクリル、置換ヘテロサイクリル、シクロアルキル、置換シクロアルキル、アリール、置換アリール、アルキルアリール、置換アルキルアリール、アリールアルキル、置換アリールアルキル、Ｆ、Ｃｌ、Ｂｒ、Ｉ、ＮＲ'Ｒ"、ＣＦ3、ＯＨ、ＣＮ、ＮＯ2、Ｃ2Ｒ'、ＳＨ、ＳＲ'、Ｎ3、ＳＯ2Ｒ'、ＯＲ'、（ＣＲ'Ｒ"）qＯＲ'、Ｏ-（ＣＲ'Ｒ"）qＣ2Ｒ'、ＳＲ'、Ｃ（＝Ｏ）ＮＲ'Ｒ"、ＮＲ'Ｃ（＝Ｏ）Ｒ"、Ｃ（＝Ｏ）Ｒ'、（ＣＲ'Ｒ"）qＣ2Ｒ'、Ｃ（＝Ｏ）ＯＲ'、ＯＣ（=Ｏ）Ｒ'、ＯＣ（＝Ｏ）ＮＲ'Ｒ"およびＮＲ'Ｃ（＝Ｏ）ＯＲ"｛式中、ｑは１〜６の整数であり、Ｒ'およびＲ"は、個々別々に、水素、アルキル、シクロアルキル、非芳香族複素環または芳香族基含有種である。｝］
の構造を有する化合物。
【請求項２】  ＡIIが、ＮＨ2、ＮＨＣＨ3またはＮＣ（ＣＨ3）2からなる一群から選択される請求項１に記載の化合物。
【請求項３】  上記破線が、Ｃ=Ｃ結合である請求項１に記載の化合物。
【請求項４】  上記波線がＣ=Ｃ結合であり、且つＥ型およびＺ型を有する請求項１に記載の化合物。
【請求項５】  ニコチン性拮抗物質を含む医用組成物であって、薬学的に許容できる担体と関連して、請求項１〜４のいずれかに記載の化合物の一定量を含み、該量は、患者の関連ニコチン性受容体部位と相互に作用するのに有効である医用組成物。
【請求項６】  請求項１〜４のいずれかに記載の化合物または請求項５に記載の組成物を用いる、正常な神経伝達物質放出の変化を特徴とする障害を治療するための薬物。
【請求項７】  医薬品の使用に対する請求項１〜４のいずれかに記載の化合物または請求項５に記載の組成物。
【手続補正書】
【提出日】平成16年9月21日(2004.9.21)
【手続補正１】
【補正対象書類名】明細書
【補正対象項目名】００２１
【補正方法】変更
【補正の内容】
【００２１】
昇華によってフォームＶを製造する米国特許第５，２４８，６９９号に記載された手順を繰り返すために三つの実験を行った。１７０〜１９０℃の間の温度において４．００ｋＰａ（３０ｍｍＨｇ）真空下でフォームＩのサンプルを昇華させることにより、二つの実験を行った。１８０〜１９５℃の間の温度において高真空（１３．３Ｐａ（０．１ｍｍＨｇ））下でフォームＩのサンプルを昇華させることにより、第３の実験を行った。
【手続補正２】
【補正対象書類名】明細書
【補正対象項目名】００８４
【補正方法】変更
【補正の内容】
【００８４】
例１９
フォームＶＩからのセルトラリン塩酸塩フォームＩＩの調製
セルトラリン塩酸塩フォームＶＩ（５０ｇ）およびｔ−ブチルメチルエーテル（１５０ｍＬ）のスラリーを加熱して環流させ、還流を１時間にわたり続けた。その後、スラリーを放置して室温に冷やし、濾過した。固体をｔ−ブチルメチルエーテル（５０ｍＬ）で洗浄し、４．００ｋＰａ（３０ｍｍＨｇ）の真空下において反応器内で攪拌しながら乾燥した。こうして得られた乾燥固体はセルトラリン塩酸塩フォームＩＩ（３８．２６ｇ、収率８６．７％）である。
【手続補正３】
【補正対象書類名】明細書
【補正対象項目名】００８７
【補正方法】変更
【補正の内容】
【００８７】
例２２
セルトラリン塩酸塩フォームＶＩの乾燥による多形体ＩＩの調製
セルトラリン塩酸塩エタノラート−フォームＶＩを２４時間にわたり真空（＜１．３３ｋＰａ（１０ｍｍＨｇ））下で１０５℃において乾燥した。生じた乾燥材料は、セルトラリン塩酸塩フォームＶと混合されたセルトラリン塩酸塩フォームＩＩであった。
【手続補正４】
【補正対象書類名】明細書
【補正対象項目名】００９９
【補正方法】変更
【補正の内容】
【００９９】
例３４
昇華による非晶質セルトラリン塩酸塩の調製
実験室型昇華装置を用いて４．００ｋＰａ〜１３．３Ｐａ（３０〜０．１ｍｍＨｇ）の真空で、セルトラリン塩酸塩フォームＩを１９０〜２００℃で昇華した。生じた材料は非晶質セルトラリン塩酸塩であった。
【手続補正書】
【提出日】平成18年10月25日(2006.10.25)
【手続補正１】
【補正対象書類名】明細書
【補正対象項目名】特許請求の範囲
【補正方法】変更
【補正の内容】
【特許請求の範囲】
【請求項１】  哺乳動物の中枢神経系へ治療的有効量の神経栄養剤を輸送するための組成物であって、該組成物は治療的有効用量の該神経栄養剤を含み、
ここで該組成物は、該哺乳動物の鼻腔の上部３分の１へ投与されるように処方されており、ここで、該神経栄養剤が、該鼻腔を通って吸収され、そして該哺乳動物の該中枢神経系へ輸送される、組成物。
【請求項２】  前記治療的有効用量が、約０．１ｎｍｏｌ〜約１０ｎｍｏｌの前記神経栄養剤を含む、請求項１に記載の組成物。
【請求項３】  前記治療的有効用量が、前記中枢神経系の一部において１０−１１Ｍ〜約１０−９Ｍの治療的有効量をもたらす、請求項１に記載の組成物。
【請求項４】  前記組成物は、鼻腔の上部３分の１における嗅覚野へ塗布されるように処方されている、請求項１に記載の組成物。
【請求項５】  前記組成物は、鼻の蓋へ塗布されるように処方されている、請求項１に記載の組成物。
【請求項６】  前記組成物が、液体、粉末、スプレー、ゲル、軟膏、浸剤またはそれらの組合せを含む、請求項１に記載の組成物。
【請求項７】  前記組成物が、薬学的に受容可能なキャリア、脂溶性ミセル、リポソームまたはそれらの組合せを含む、請求項１に記載の組成物。
【請求項８】  前記脂溶性ミセルまたはリポソームが、ガングリオシド、ホスファチジルコリン、ホスファチジルセリン、リポフェクチン、ＤＯＴＡＰまたはそれらの組合せを含む、請求項７に記載の組成物。
【請求項９】  前記組成物が、ニューロン上のレセプター部位に親和性を有する物質を含む、請求項１に記載の組成物。
【請求項１０】  前記組成物が、制御放出ポリマーを含む、請求項１に記載の組成物。
【請求項１１】  前記ポリマーが、ポリ（エチレン−コ−ビニルアセテート）を含む、請求項１０に記載の組成物。
【請求項１２】  前記神経栄養剤が、線維芽細胞増殖因子を含む、請求項１に記載の組成物。
【請求項１３】  前記神経栄養剤が、塩基性線維芽細胞増殖因子を含む、請求項１２に記載の組成物。
【請求項１４】  前記神経栄養剤が、インスリン様増殖因子を含む、請求項１に記載の組成物。
【請求項１５】  前記神経栄養剤が、インスリン様増殖因子−Ｉを含む、請求項１４に記載の組成物。
【請求項１６】  前記神経栄養剤が、循環系を通しての代わりに神経経路によって、前記中枢神経系へ輸送される、請求項１に記載の組成物。
【請求項１７】  前記神経経路が、神経に沿って延びるリンパチャネルを含む、請求項１６に記載の組成物。
【請求項１８】  前記神経栄養剤が、三叉神経経路によって前記中枢神経系へ輸送される、請求項１６に記載の組成物。
【請求項１９】  前記三叉神経経路が、三叉神経に沿って延びるリンパチャネルを含む、請求項１８に記載の組成物。
【請求項２０】  前記神経栄養剤が、嗅神経経路によって前記中枢神経系へ輸送される、請求項１６に記載の組成物。
【請求項２１】  三叉神経経路が、嗅神経に沿って延びるリンパチャネルを含む、請求項２０に記載の組成物。
【請求項２２】  前記神経栄養剤が、嗅球、海馬体、前頭皮質、中脳、脳幹、脊髄またはそれらの組合せへ輸送される、請求項１に記載の組成物。
【請求項２３】  哺乳動物の中枢神経系へ治療的有効量の神経栄養剤を投与するための組成物であって、該組成物は、治療的有効用量の該神経栄養剤を含み、
ここで該組成物は、該哺乳動物の鼻腔へ投与されるように処方されており、ここで、該神経栄養剤が、該鼻腔を通して吸収され、そして神経経路によって、そして該中枢神経系の細胞に対する保護的効果または治療効果を提供するに有効な量で、該哺乳動物の該中枢神経系へ輸送される、組成物。
【請求項２４】  前記治療的有効用量が、約０．１ｎｍｏｌ〜約１０ｎｍｏｌの前記神経栄養剤を含む、請求項２３に記載の組成物。
【請求項２５】  前記治療的有効用量が、前記中枢神経系の一部において１０−１１Ｍ〜約１０−９Ｍの治療的有効量をもたらす、請求項２３に記載の組成物。
【請求項２６】  前記神経栄養剤が、前記中枢神経系に関連するリンパ管へ輸送される、請求項２３に記載の組成物。
【請求項２７】  前記神経栄養剤が、循環系を通しての代わりに前記神経経路によって、前記中枢神経系へ輸送される、請求項２３に記載の組成物。
【請求項２８】  前記神経経路が、神経に沿って延びるリンパチャネルを含む、請求項２７に記載の組成物。
【請求項２９】  前記神経栄養剤が、三叉神経経路によって前記中枢神経系へ輸送される、請求項２７に記載の組成物。
【請求項３０】  前記三叉神経経路が、三叉神経に沿って延びるリンパチャネルを含む、請求項２９に記載の組成物。
【請求項３１】  前記神経栄養剤が、嗅神経経路によって前記中枢神経系へ輸送される、請求項２７に記載の組成物。
【請求項３２】  三叉神経経路が、嗅神経に沿って延びるリンパチャネルを含む、請求項３１に記載の組成物。
【請求項３３】  前記神経栄養剤が、嗅球、海馬体、前頭皮質、中脳、脳幹、脊髄またはそれらの組合せへ輸送される、請求項２３に記載の組成物。
【請求項３４】  治療が、アルツハイマー病、パーキンソン病、運動失調または損傷を処置する工程を包含する、請求項２３に記載の組成物。
【請求項３５】  前記組成物が、薬学的に受容可能なキャリア、脂溶性ミセル、リポソームまたはそれらの組合せを含む、請求項２３に記載の組成物。
【請求項３６】  前記脂溶性ミセルまたはリポソームが、ガングリオシド、ホスファチジルコリン、ホスファチジルセリン、リポフェクチン、ＤＯＴＡＰまたはそれらの組合せを含む、請求項３５に記載の組成物。
【請求項３７】  前記組成物が、制御放出ポリマーを含む、請求項２３に記載の組成物。
【請求項３８】  前記ポリマーが、ポリ（エチレン−コ−ビニルアセテート）を含む、請求項３７に記載の組成物。
【請求項３９】  前記投与する工程が、前記鼻腔の上部３分の１へ前記組成物を塗布する工程を包含する、請求項２３に記載の組成物。
【請求項４０】  前記組成物は、前記鼻腔の上部３分の１における嗅覚野へ塗布されるように処方されている、請求項３９に記載の組成物。
【請求項４１】  前記組成物は、鼻の蓋へ塗布されるように処方されている、請求項３９に記載の組成物。
【手続補正書】
【提出日】平成18年11月8日(2006.11.8)
【手続補正１】
【補正対象書類名】明細書
【補正対象項目名】特許請求の範囲
【補正方法】変更
【補正の内容】
【特許請求の範囲】
【請求項１】  ａ）薬剤に対して不透過性である上部裏打ち層；
ｂ）薬剤を含有し、且つ上記裏打ち層の下に敷く中間のシリコーン接着剤層；
ｃ）下に敷き、且つ前記シリコーン接着剤層と拡散接触する前記薬剤も含有しているアクリル接着剤層；及び
ｄ）前記アクリル接着剤層の下に敷く除去可能な剥離ライナー層
を含む、揮発性液体薬剤を患者に経皮的に適用する(administering)ための経皮パッチであって、前記シリコーン接着剤層とアクリル接着剤層との中の薬剤の合計量は薬剤の治療的有効量を前記患者に提供するのに十分である、前記経皮パッチ。
【請求項２】  前記薬剤がニコチンであり、前記パッチが前記患者に対してニコチン0.2〜1.5mg/時間を適用することができる、請求項１に記載の経皮パッチ。
【請求項３】  前記薬剤がニコチンとメカミラミンとの組合せであり、前記パッチが前記患者に対してニコチン0.2〜1.5mg/時間とメカミラミン0.02〜１mg/時間とを適用することができる、請求項１に記載の経皮パッチ。
【請求項４】  前記薬剤がセレギリンであり、前記パッチが前記患者にセレギリン0.2〜３mg/日を適用することができる、請求項１に記載の経皮パッチ。
【請求項５】  前記薬剤がメカミラミンのみであり、前記パッチが前記患者にメカミラミン0.02〜１mg/時間を適用することができる、請求項１に記載の経皮パッチ。
【請求項６】  前記剥離ライナー層がシリコーン処理化剥離ライナー層である、請求項１に記載のパッチ。
【請求項７】  前記アクリル接着剤層が２種類のアクリル接着剤のブレンドから製造される、請求項１に記載のパッチ。
【請求項８】  ａ）前記薬剤とシリコーン接着剤とのヘキサン中の溶液を裏打ち層にコーティングし；
ｂ）前記コーティングからヘキサンを蒸発させて前記裏打ち層上に薬剤−含有シリコーン接着剤の層を形成し；次いで
ｃ）前記シリコーン接着剤層と前記アクリル接着剤層とが互いに拡散接触するように、剥離ライナー層上にコーティングされたアクリル接着剤を含むアセンブリを前記裏打ち層上の前記シリコーン接着剤層にラミネートする、
各段階を含む揮発性液体薬剤を患者に適用するための経皮パッチの製造方法。
【請求項９】  段階ｂ）を30℃〜40℃で実施する、請求項８に記載の方法。
【請求項１０】  前記剥離ライナー層がシリコーン処理化剥離ライナー層である、請求項８に記載の方法。
【請求項１１】  前記薬剤がニコチンである、請求項８に記載の方法。
【請求項１２】  前記薬剤がニコチンとメカミラミンとの組合せである、請求項８に記載の方法。
【請求項１３】  前記薬剤がセレギリンである、請求項８に記載の方法。
【請求項１４】  前記薬剤がメカミラミンのみである、請求項８に記載の方法。
【請求項１５】  ニコチン依存症のヒトの治療剤の製造のためのメカミラミンの使用であって、ニコチンをヒトに経皮的に同時適用することなく、前記メカミラミン治療的有効量を経皮的に適用することを含む、前記使用。
【請求項１６】  メカミラミン適用速度が0.02〜１mg/時間である、請求項１５に記載の使用。
【請求項１７】  メカミラミン適用速度が0.1〜0.6mg/時間である、請求項１５に記載の使用。
【請求項１８】  ニコチン依存症のヒトの治療剤の製造のためのメカミラミンの使用であって、前記メカミラミンの治療的有効量を第一の期間はニコチン依存症のヒトに経皮的に適用し、かかる期間はそのヒトは所望通り喫煙し、次いで第二の期間は前記適用を継続し、かかる期間はヒトに喫煙しないように助言することを含む、前記使用。
【請求項１９】  前記第一の期間が約１〜約４週間であり、前記第二の期間が約２〜約１２週間である、請求項１８に記載の使用。
【請求項２０】  前記第一の期間が約２〜約３週間であり、前記第二の期間が約４〜約８週間である、請求項１８に記載の使用。
【請求項２１】  ニコチン依存症の女性の治療剤の製造のためのメカミラミンの使用であって、前記メカミラミンの治療的有効量とニコチンの治療的有効量とをニコチン依存症の女性に経皮的に同時適用することを含む、前記使用。
【請求項２２】  メカミラミン適用速度が0.02〜１mg/時間であり、ニコチン適用速度が0.2〜1.5mg/時間である、請求項２１に記載の使用。
【請求項２３】  メカミラミン適用速度が0.1〜0.6mg/時間であり、ニコチン適用速度が0.3〜0.9mg/時間である、請求項２１に記載の使用。
【請求項２４】  ニコチン依存症の女性の治療剤の製造のためのメカミラミンの使用であって、前記メカミラミンの治療的有効量とニコチンの治療的有効量とを第一の期間にニコチン依存症の女性に経皮的に適用し、かかる期間はその女性は所望通り喫煙し、次いで第二の期間は前記適用を継続し、かかる期間はその女性に喫煙しないように助言することを含む、前記使用。
【請求項２５】  前記第一の期間が約１〜約４週間であり、前記第二の期間が約２〜約１２週間である、請求項２４に記載の使用。
【請求項２６】  前記第一の期間が約２〜約３週間であり、前記第二の期間が約４〜約８週間である、請求項２４に記載の使用。
【手続補正書】
【提出日】平成18年6月28日(2006.6.28)
【手続補正１】
【補正対象書類名】明細書
【補正対象項目名】特許請求の範囲
【補正方法】変更
【補正の内容】
【特許請求の範囲】
【請求項１】  経鼻投与のためのヒト合成ペプチドベースのインフルエンザ用ワクチンにおいて、それぞれサルモネラのフラゲリンから別個に発現したインフルエンザウイルスの少なくとも４種のエピトープを含有する鞭毛の混合物からなり、上記インフルエンザウイルスのエピトープはヒト細胞と反応性であって、（ｉ）１つのB-細胞ヘマグルチニン（HA）エピトープ；（ii）１つのT-ヘルパーヘマグルチニン（HA）または多くのHLA分子に結合できる核タンパク質（NP）エピトープ；ならびに（iii）異なるヒト集団において最も優勢なHLA分子に限定される少なくとも２つの細胞傷害性リンパ球（CTL）、核タンパク質（NP）またはマトリックスタンパク質（M）エピトープからなる群より選択されるインフルエンザワクチン。
【請求項２】  B-細胞HAエピトープは配列：
Ser-Lys-Ala-Phe-Ser-Asn-Cys-Tyr-Pro-
Tyr-Asp-Val-Pro-Asp-Tyr-Ala-Ser-Leu
のインフルエンザウイルスヘマグルチニンエピトープ91-108［HA 91-108］である「請求項１」記載のヒト経鼻投与用インフルエンザワクチン。
【請求項３】  T-ヘルパーエピトープは配列：
Pro-Lys-Tyr-Val-Lys-Gln-Asn-Thr-Leu-Lys-Leu-Ala-Thr
のインフルエンザウイルスヘマグルチニンエピトープ307-319［HA 307-319］および配列
Cys-Pro-Lys-Tyr-Val-Lys-Gln-Asn-Thr-Leu-
Lys-Leu-Ala-Thr-Gly-Met-Arg-Asn-Val
のHAエピトープ306-324［HA 306-324］から選択される「請求項１または２」記載のヒト経鼻投与用インフルエンザワクチン。
【請求項４】  少なくとも２つの細胞傷害性リンパ球（CTL）のエピトープは配列
Ser-Ala-Ala-Phe-Glu-Asp-Leu-Arg-
Val-Leu-Ser-Phe-Ile-Arg-Gly-Tyr
のインフルエンザウイルス核タンパク質（NP）NP 335-350エピトープおよび配列
Glu-Leu-Arg-Ser-Arg-Tyr-Trp-
Ala-Ile-Arg-Thr-Arg-Ser-Gly
のNP 380-393 エピトープである「請求項１〜３」のいずれかに記載のヒト経鼻投与用インフルエンザワクチン。
【請求項５】  サルモネラフラゲリン中で発現されたインフルエンザウイルスヘマグルチニンエピトープHA 91-108, ヘマグルチニンエピトープHA 307-319, 核タンパク質NP 335-350およびNP 380-393エピトープのエピトープ４種の混合物からなる「請求項１〜４」のいずれかに記載のヒト経鼻投与用インフルエンザワクチン。
【請求項６】  少なくとも２種の細胞傷害性リンパ球（CTL）エピトープは、配列Asn-Val-Lys-Asn-Leu-Tyr-Glu-Lys-Val-LysのインフルエンザウイルスエピトープHA 458-467、およびそれぞれ配列
Ile-Leu-Gly-Phe-Val-Phe-Leu-Thr-Val,
Ile-Leu-Gly-Phe-Val-Phe-Leu-Thr-Val  および
Ala-Cys-Ser-Met-Gly-Leu-Ile-Tyr
のマトリックスタンパク質（M）エピトープM 59-68, M 60-68およびM 128-135から選択される「請求項１〜３」のいずれかに記載の非白色人種のためのヒト経鼻投与用インフルエンザワクチン。
【請求項７】  それぞれサルモネラのフラゲリンで別個に発現され、ヒト細胞と反応性であるインフルエンザウイルスの少なくとも４種のエピトープであり、（ｉ）１つのB-細胞ヘマグルチニン（HA）エピトープ；（ii）１つのT-ヘルパーヘマグルチニン（HA）または多くのHLA分子に結合できる核タンパク質（NP）エピトープ；ならびに（iii）異なるヒト集団において最も優勢なHLA分子に限定される少なくとも２つの細胞傷害性リンパ球（CTL）、核タンパク質（NP）またはマトリックスタンパク質（M）エピトープからなる群より選択されるインフルエンザウイルスの少なくとも４種のエピトープを含有する鞭毛の混合物の、経鼻投与用ヒト合成インフルエンザワクチンの製造のための使用。
【請求項８】  それぞれサルモネラのフラゲリンで別個に発現され、ヒト細胞と反応性であるインフルエンザウイルスの少なくとも４種のエピトープ、すなわち、（ｉ）１つのB-細胞ヘマグルチニン（HA）エピトープ；（ii）１つのT-ヘルパーヘマグルチニン（HA）または多くのHLA分子に結合できる核タンパク質（NP）エピトープ；ならびに（iii）異なるヒト集団において最も優勢なHLA分子に限定される少なくとも２つの細胞傷害性リンパ球（CTL）、核タンパク質（NP）またはマトリックスタンパク質（M）エピトープからなる群より選択されるインフルエンザウイルスの少なくとも４種のエピトープを含有する鞭毛の混合物からなる合成ペプチドベースのインフルエンザワクチンを有効成分として含有する医薬組成物であって、ヒト免疫応答を誘発し、ヒトにインフルエンザウイルスに対する防御機構を付与する医薬組成物。
【誤訳訂正書】
【提出日】平成18年5月31日(2006.5.31)
【誤訳訂正１】
【訂正対象書類名】明細書
【訂正対象項目名】請求項４
【訂正方法】変更
【訂正の内容】
【請求項４】  多糖類、ムコ多糖類、ポリアミノ酸、細胞成長及び治癒を支持するタンパク質、ポリホスファジン、ポリホスホエステル、ポリエチレングリコール、ポリエチレンオキシド、ポリビニルアルコール、ポリビニルピロリドン、ポリエチルオキサゾリン、ポリエチレンオキシド−コ−ポリプロピレンオキシドブロックコポリマー、ＰＧＡ−ＰＥＧ−ＰＧＡブロックコポリマー、ＰＧＡ−ＰＥＧジブロックコポリマー、アクリレート、カルボキシアルキルセルロース、部分的に酸化したセルロース、グリコリド及びラクチドのポリマー及びオリゴマー、ポリ乳酸、α−ヒドロキシ酸のポリエステル、ポリラクトン、ポリカプロラクトン、ポリアンヒドリド、ポリオルトエステル、ポリジオキサノン、スチレン、アクロレイン並びにその組合せから製造したゲルからヒドロゲルを選択する、請求項１の装置。
【誤訳訂正２】
【訂正対象書類名】明細書
【訂正対象項目名】請求項５
【訂正方法】変更
【訂正の内容】
【請求項５】  ヒアルロン酸、デキストラン、ヘパリン硫酸、コンドロイチン硫酸、ヘパリン、寒天、デンプン、アルギネート、フィブロネクチン、ゼラチン、コラーゲン、フィブリン、ペクチン、アルブミン、オボアルブミン、コラーゲン−ヒドロキシエチル−メタクリレート（ＨＥＭＡ）；ジアクリレート、オリゴアクリレート、メタクリレート、ジメタクリレート、オリゴメタクリレート、ＰＥＧ−オリゴグリコリルアクリレート、カルボキシメチルセルロース、乳酸のポリエステル、グリコール酸のポリエステル、ポリグリコール酸、ポリ−ＤＬ−乳酸、ポリ−Ｌ−乳酸を含むポリ（α−ヒドロキシ）酸、並びにＤＬ−ラクチド及びグリコリドのターポリマー、ε−カプロラクトン、ポリエステルと共重合したε−カプロラクトン、ポリ（ε−カプロラクトン）、ポリ（δ−バレロラクトン）、ポリ（γ−ブチロラクトン）並びにその組合せから製造したゲルよりなる群からヒドロゲルを選択する、請求項１の装置。
【誤訳訂正３】
【訂正対象書類名】明細書
【訂正対象項目名】請求項８
【訂正方法】変更
【訂正の内容】
【請求項８】  インターロイキン、形質転換成長因子ｂ、血小板由来増殖因子のコンジナー、及び成長因子に対するモノクローナル抗体、医薬品、医薬品産生細胞、細胞再生因子、動脈瘤の細胞と同型の前駆細胞、並びに動脈瘤の細胞と組織学的に異なる前駆細胞から治療剤を選択する、請求項１の装置。
【誤訳訂正４】
【訂正対象書類名】明細書
【訂正対象項目名】０００８
【訂正方法】変更
【訂正の内容】
【０００８】
本発明のヒドロゲルは、有機ゲル及び無機ゲルから選択する一又は複数のヒドロゲルであることができる。本発明のヒドロゲルが選択可能な有機ゲルは以下のゲルを含むがこれに限定されない：ヒアルロン酸、デキストラン、ヘパリン硫酸、コンドロイチン硫酸、ヘパリン、寒天、デンプン、及びアルギネートを含む多糖類及びムコ多糖類から製造するゲル、ただしこれに限定されない；ポリアミノ酸；フィブロネクチン、ゼラチン、コラーゲン、フィブリン、ペクチン、アルブミン、オボアルブミン、及びポリアミノ酸を含む細胞の成長と治癒を支持するタンパク質、ただしこれに限定されない；コラーゲン−ヒドロキシエチル−メタクリレート（ＨＥＭＡ）；ポリホスファジン；ポリホスホエステル；ポリエチレングリコール；ポリエチレンオキシド；ポリビニルアルコール；ポリビニルピロリドン；ポリエチルオキサゾリン；ポリエチレンオキシド−コ−ポリプロピレンオキシドブロックコポリマー；ＰＧＡ−ＰＥＧ−ＰＧＡブロックコポリマー；ＰＧＡ−ＰＥＧジブロックコポリマー；ジアクリレート、オリゴアクリレート、メタクリレート、ジメタクリレート及びオリゴメタクリレートを含むアクリレート、ただしこれに限定されない；ＰＥＧ−オリゴグリコリルアクリレート、例えば米国特許第５，６２６，８６３号に記載されたもので、この特許を参考として本明細書に含む；カルボキシメチルセルロースを含むカルボキシアルキルセルロース、ただしこれに限定されない；部分的に酸化したセルロース；グリコリド、ラクチドのポリマー及びオリゴマー、ポリ乳酸、乳酸及びグリコール酸を含むα−ヒドロキシ酸のポリエステル、例えばポリグリコール酸、ポリ−ＤＬ−乳酸、ポリ−Ｌ−乳酸を含むポリ（α−ヒドロキシ）酸、並びにＤＬ−ラクチド及びグリコリドのターポリマーを含む生物分解性ポリマー、ただしこれに限定されない；ε−カプロラクトン及びポリエステルと共重合したε−カプロラクトン；ポリ（ε−カプロラクトン）、ポリ（δ−バレロラクトン）及びポリ（γ−ブチロラクトン）を含むポリラクトン及びポリカプロラクトン；ポリアンヒドリド；ポリオルトエステル；他のヒドロキシ酸；ポリジオキサノン；非毒性又は体内に代謝物として存在する他の生物分解性ポリマー；並びに非分解性ポリマー、例えばスチレン及びアクロレイン。
【手続補正書】
【提出日】平成18年8月9日(2006.8.9)
【手続補正１】
【補正対象書類名】明細書
【補正対象項目名】特許請求の範囲
【補正方法】変更
【補正の内容】
【特許請求の範囲】
【請求項１】  ケラチン繊維を機械的な変形処理の前および／またはその後においてケラチン還元物質の水性調製物で処理し、一定の接触時間の後に第１の洗浄液で洗浄し、酸化剤の水性調製物で固定し、そしてやはり一定の接触時間の後に洗浄および必要に応じて後処理することを含んで成る、ケラチン繊維を永続的に変形するための方法であって、前記の２つの水性調製物の少なくとも一方または第１の洗浄液が、２相系または多相系の形態で存在し、該系が、油成分少なくとも１つと、水混和性の低い、飽和型または不飽和型で、直鎖状、分枝状または環状のＣ４−１０アルコール少なくとも１つとを含有し、繊維に適用するために機械的な攪拌によって均一な系に変換される方法。
【請求項２】  油成分は、植物油、パラフィン油およびシリコーンから選択する請求項１に記載の方法。
【請求項３】  水混和性の低いアルコールがジオールまたはトリオールである請求項１または２に記載の方法。
【請求項４】  水混和性の低いアルコールが分枝状である請求項１〜３のいずれかに記載の方法。
【請求項５】  ケラチン還元物質および通常の成分を含有する、ケラチン繊維を永続的に変形させる方法の還元工程を行うための調製物であって、２相系または多相系の形態で存在し、該系は、油成分少なくとも１つと、水混和性の低い、飽和型または不飽和型で、直鎖状、分枝状または環状のＣ４−１０アルコール少なくとも１つとを含有し、繊維に適用するために機械的な攪拌によって均一な系に変換される調製物。
【請求項６】  酸化剤および通常の成分を含有する、ケラチン繊維を永続的に変形させる方法の酸化工程を行うための調製物であって、２相系または多相系の形態で存在し、該系は、油成分少なくとも１つと、水混和性の低い、飽和型または不飽和型で、直鎖状、分枝状または環状のＣ４−１０アルコール少なくとも１つとを含有し、繊維に適用するために機械的な攪拌によって均一な系に変換される調製物。
【請求項７】  通常の成分を含有する、ケラチン繊維を永続的に変形させる方法の還元工程後の洗浄を行うための調製物であって、２相系または多相系の形態で存在し、該系は、油成分少なくとも１つと、水混和性の低い、飽和型または不飽和型で、直鎖状、分枝状または環状のＣ４−１０アルコール少なくとも１つとを含有し、繊維に適用するために機械的な攪拌によって均一な系に変換される調製物。
【請求項８】  タンパク質加水分解物およびその誘導体から選択する活性物質を更に含有する請求項５〜７のいずれかに記載の調製物。
【請求項９】  コンディショニング剤を含有する請求項５〜８のいずれかに記載の調製物。
【手続補正２】
【補正対象書類名】明細書
【補正対象項目名】００６２
【補正方法】変更
【補正の内容】
【００６２】
【表９】
2002531380.tif 000001
12  第四級化ケラチン加水分解物 (水中、活性物質約32%; INCI 名: ココジモニウム ヒドロキシプロピル 加水分解ケラチン) (CRODA)